(57)【特許請求の範囲】
【請求項１】
挿排口から挿入された記録媒体を積層状態で収納することが可能な収納手段と、
記録媒体の記録または再生の少なくとも一方を行うことが可能な記録再生手段と、
挿排口と収納手段との間に設けられ、該収納手段における記録媒体の積層方向に変位することによって、少なくとも、挿排口から収納手段と収納手段から記録再生手段との間での記録媒体の受け渡しを行う保持手段と、
保持手段を変位させるための昇降手段とを備え、
挿排口に対応する位置に該保持手段がない場合には、昇降手段によって前記挿排口を塞ぐことを特徴とする記録媒体の記録再生装置。
【発明の詳細な説明】
【０００１】
【産業上の利用分野】
本発明は、ミニディスク（以後、「ＭＤ」という）などの記録媒体を予め複数収納しておき、その収納しておいた記録媒体を任意に交換可能ないわゆるオートチェンジ動作を行って、記録または再生の少なくともいずれか一方を行うことができる記録媒体の記録再生装置に関する。
【０００２】
【従来の技術】
上述のような記録媒体をオートチェンジ可能な記録再生装置として、ＭＤ再生装置が提案されている。このＭＤ再生装置では、ＭＤを積層状態で収納する収納手段と、ＭＤの再生を行う再生手段とを筺体内に積層して配置し、収納手段および再生手段に対向して筺体内に備えられ、ＭＤの積層方向に昇降変位する昇降手段によって、収納手段内の所望とするＭＤが選択的に取出されて再生手段に装填され、ＭＤの再生が行われる。筺体には、昇降手段に対して収納手段および再生手段とは反対側で昇降手段に臨んでＭＤの挿排口が設けられる。
【０００３】
このように構成されるＭＤ再生装置では、昇降手段におけるＭＤを保持するホルダが筺体に設けられる挿排口に対向する位置に、昇降手段が位置しているときにのみ、挿排口を介して昇降手段のホルダ内へのＭＤの受入れが可能となる。ホルダが挿排口に対向していない位置に、昇降手段が位置しているときに、挿排口を介してＭＤが誤って筺体内に挿入されてしまうと、誤って筺体内に挿入されたＭＤが異物となって装置の故障の原因となるので、ホルダが挿排口に対向しない位置に昇降手段が位置しているときには、装置内へのＭＤの挿入を阻止するために、挿排口を閉鎖する必要がある。
【０００４】
【発明が解決しようとする課題】
本発明の目的は、簡単な構成で記録媒体の挿排口の開閉を行うことができる記録媒体の記録再生装置を提供することである。
【０００５】
【課題を解決するための手段】
本発明は、挿排口から挿入された記録媒体を積層状態で収納することが可能な収納手段と、
記録媒体の記録または再生の少なくとも一方を行うことが可能な記録再生手段と、
挿排口と収納手段との間に設けられ、該収納手段における記録媒体の積層方向に変位することによって、少なくとも、挿排口から収納手段と収納手段から記録再生手段との間での記録媒体の受け渡しを行う保持手段と、
保持手段を変位させるための昇降手段とを備え、
挿排口に対応する位置に該保持手段がない場合には、昇降手段によって前記挿排口を塞ぐことを特徴とする記録媒体の記録再生装置である。
【０００６】
【作用】
本発明に従えば、記録媒体を積層状態で収納する収納手段と、記録媒体の積層方向に変位可能な昇降手段と、記録媒体の記録または再生の少なくともいずれか一方を行う記録再生手段とが備えられる。昇降手段は、記録媒体の受け渡しを行う保持手段を変位させる。保持手段は、記録媒体が挿入される挿排口と収納手段との間に設けられ、昇降手段によって、収納手段における記録媒体の積層方向に変位する。挿排口に対応する位置に保持手段がなければ、昇降手段によって挿排口を塞ぐので、簡単な構成で記録媒体の挿排口の開閉を行うことができる。
【０００７】
昇降手段は、一対の支持レバーを含んで構成される支持部材によって前記積層方向に変位可能に支持される。一対の支持レバーは、互いに揺動自在に中心部が固定されている。第１支持レバーの一方側端部は、昇降手段の一端部に前記積層方向に対して垂直な方向に設けられる第１長孔に、該第１長孔に沿って変位自在に取付けられ、他方側端部は、筺体に揺動自在に取付けられる。第２支持レバーの一方側端部は、筺体に前記第１長孔と平行に設けられる第２長孔に、該第２長孔に沿って変位自在に取付けられ、他方側端部は、昇降手段の他端部に揺動自在に取付けられる。
【０００８】
このようにして、昇降手段を昇降変位可能に支持する支持部材は、挿排口の上側または下側の少なくともいずれか一方に備えられ、昇降手段のホルダが挿排口に対向しているときには、支持部材が挿排口を開放した状態にあり、ホルダが挿排口に対向していないときには、支持部材が挿排口の少なくとも一部を閉鎖している。
【０００９】
たとえば、支持部材が挿排口の下側に備えられる場合、筺体に設けられる挿排口は、支持部材に含まれる第１支持レバーの一方側端部と第２支持レバーの一方側端部とが互いに最も近接した状態、すなわち昇降手段に設けられる第１長孔と筺体に設けられる第２長孔とが最も近接した状態となるように昇降手段が、前記積層方向に沿った下方向に下降変位されている状態で、昇降手段のホルダに対向するようにして設けられる。このとき、第１および第２支持レバーは挿排口の下方に位置しているので、挿排口は開放された状態にある。また、第１および第２支持レバーの一方側端部は、第１および第２長孔の一方側に変位した状態にある。
【００１０】
このように、昇降手段が下降変位された状態から上昇変位されると、昇降手段の第１長孔と筺体の第２長孔とが離反するのに伴って、第１支持レバーの一方側端部と、第２支持レバーの一方側端部とが互いに離反するように一対の支持レバーが揺動変位し、これに伴って、第１および第２支持レバーの一方側端部が、第１および第２長孔の一方側から他方側へと変位する。昇降手段が所定の変位量だけ上昇変位されると、昇降手段の上昇変位に伴って揺動変位する第１および第２支持レバーが筺体の挿排口に達し、第１および第２支持レバーによって挿排口の少なくとも一部が閉鎖され、昇降手段のホルダが挿排口に対向していない状態での記録媒体の挿入が阻止されるようになる。
【００１１】
したがって、昇降手段を昇降変位可能に支持する支持部材によって筺体に設けられる挿排口を開閉するので、たとえば挿排口を開閉するための専用の扉部材を設ける必要がなく、簡単な構成で挿排口の開閉を行うことができる。
【００１２】
【実施例】
図１は、本発明の一実施例である車載用などに用いられるＭＤ再生装置１の内部構成を示す正面図であり、昇降装置２の保持部２ａが挿排口６ｆに対向した状態を示す。図２は、ＭＤ再生装置１の内部構成を示す平面図である。図３は、ＭＤ再生装置１の構成を示す断面図である。図４は、ＭＤ再生装置１に備えられる昇降装置２の構成を示す斜視図である。図５は、昇降装置２の構成を示す分解斜視図である。図１に示されるように、後述する昇降装置２を昇降変位可能に支持する支持部材１００は、筺体６に設けられる挿排口６ｆを、昇降装置２の昇降変位に伴って開閉する。
【００１３】
ＭＤ再生装置１は、昇降装置２およびマガジン３などを備えるローディング機構４と、ＭＤ１０の再生を行う再生装置５と、ローディング機構４および再生装置５を保持する筺体６とを備えて構成される。筺体６は、天板６ｇと、左右の両側板６ａ，６ｂと、前面板６ｃおよび背面板６ｄと、底板６ｅとから成り、前面板６ｃ、すなわち図２における下側の端板には、ＭＤ１０を挿入または排出するための挿排口６ｆが設けられる。
【００１４】
筺体６内において、挿排口６ｆが設けられる前面板６ｃ側に昇降装置２が備えられ、背面板６ｄ側にマガジン３および再生装置５が備えられる。再生装置５は、マガジン３の下に備えられる。
【００１５】
マガジン３は、上下方向に積層された４つのトレイ３ａ〜３ｄを含んで構成され、各トレイ３ａ〜３ｄの内部は、ＭＤ１０を収納する収納空間となっている。トレイ３ａ〜３ｄの収納空間は、昇降装置２に臨んで開口しており、トレイ３ａ〜３ｄの積層方向に沿って上昇または下降変位可能に備えられる昇降装置２によって、ＭＤ１０の収納空間内への収納または収納空間からの取出しが可能となっている。
【００１６】
各トレイ３ａ〜３ｄの図２における左側の側壁には、案内片１１、透孔１３、および板ばね部材１５がそれぞれ設けられ、トレイ３ａ〜３ｄの底板の中央部には、後述する板ばね部材１４がそれぞれ設けられる。案内片１１は、トレイ３ａ〜３ｄの側壁からＭＤ１０の挿入方向Ａ上流側に突出するようにして形成され、案内片１１の先端には溝１１ａが設けられる。また、再生装置５においてＭＤ１０を保持する枠体６４にも、同様に溝１２ａを有する案内片１２が設けられる。トレイ３ａ〜３ｄ内にＭＤ１０が収納されると、トレイ３ａ〜３ｄの板ばね部材１５が設けられない側の側壁にＭＤ１０が板ばね部材１５によって押圧される。
【００１７】
また各トレイ３ａ〜３ｄの図２における左側の側壁には、挿入方向Ａ下流側端部に、スイッチＳＷ１ａ〜ＳＷ１ｄが備えられる。スイッチＳＷ１ａ〜ＳＷ１ｄは、トレイ３ａ〜３ｄの側壁の外面に備えられ、各スイッチＳＷ１ａ〜ＳＷ１ｄの作動片ＡＣ１が側壁を介して収納空間内に突出している。昇降装置２によってＭＤ１０がトレイ３ａ〜３ｄの収納空間内に挿入されると、収納空間内に挿入されたＭＤ１０の挿入方向Ａ下流側端部の側面が、スイッチＳＷ１ａ〜ＳＷ１ｄの作動片ＡＣ１を押込み、スイッチＳＷ１ａ〜ＳＷ１ｄが遮断状態から導通状態となり、これによってトレイ３ａ〜３ｄ内へのＭＤ１０の収納が完了したことが検知される。
【００１８】
再生装置５は、ＭＤ１０を保持する枠体６４およびターンテーブル６３ａなどを含んで構成される。
【００１９】
昇降装置２は、ＭＤ１０を保持するための保持部２ａを有しており、後述するローラ２５ｂを回転駆動することによって、筺体６に設けられた挿排口６ｆから挿入されたＭＤ１０の保持部２ａ内への搬送、または保持部２ａ内からＭＤ再生装置１外部への排出動作を行う。また昇降装置２は、後述するローラ２６ｂを回転駆動することによって、保持部２ａ内からマガジン３のトレイ３ａ〜３ｄ内または再生装置５の枠体６４内への搬送、またはマガジン３または再生装置５から昇降装置２の保持部２ａ内への搬送動作を行う。
【００２０】
図４および図５を参照して、昇降装置２の具体的構成を説明する。昇降装置２は、上下のフレーム２１，２２と、一対の誤挿入防止レバー２９，３０と、搬送手段２５，２６と、ストッパ２３と、スライドレバー２４などを備えて構成される。
【００２１】
前述の保持部２ａは、互いに対向するフレーム２１の天板部２１ａおよびフレーム２２の底板部２２ａと、フレーム２１の折曲げ部２１ｂおよびフレーム２２の折曲げ部２２ｄと、その折曲げ部２１ｂ，２２ｄに対向するフレーム２１の折曲げ部２１ｃとによって形成される。保持部２ａの内部は、ＭＤ１０が通過または装着される通路となっており、その通路は挿入方向Ａ上流側および下流側に開口しており、昇降装置２を昇降変位することによって通路が筐体６の挿排口６ｆからトレイ３ａ〜３ｄまたは再生装置５の枠体６４へ連通可能となっている。
【００２２】
このように形成される保持部２ａの挿入方向Ａ上流側端部における両側には、誤挿入防止レバー２９，３０が備えられる。誤挿入防止レバー２９，３０は、本体２９ａ，３０ａと、溝検知片２９ｂ，３０ｂとを備えて構成される。本体２９ａ，３０ａには、一対の案内長孔２９ｄ，３０ｄが設けられる。その案内長孔２９ｄ，３０ｄには、フレーム２１または２２に設けられる一対のピン２９ｅ，３０ｅがそれぞれ挿通され、誤挿入防止レバー２９および３０は、互いに近接する方向である変位方向ＦおよびＩ、または互いに離反する方向である変位方向ＦおよびＩの反対方向に変位可能となっている。
【００２３】
本体２９ａ，３０ａの変位方向Ｆ，Ｉ上流側端部には、ばね掛け片がそれぞれ設けられ、ピン２９ｄ，３０ｄとばね掛け片との間に引張りばね２９ｆ，３０ｆが備えられる。これによって、誤挿入防止レバー２９および３０は、引張りばね２９ｆおよび３０ｆによって、変位方向ＦおよびＩ、すなわち保持部２ａの通路内に突出する方向に付勢されている。
【００２４】
誤挿入防止レバー２９，３０の本体２９ａ，３０ａの変位方向Ｆ，Ｉ下流側端部、すなわち先端部は、２つの案内斜面２９ｃ，３０ｃ；２９ｊ，３０ｊが鈍角で交わった屋根形形状となっており、その先端部は保持部２ａ内部に突出している。溝検知片２９ｂ，３０ｂは、挿入方向Ａ上流側の案内斜面２９ｃ，３０ｃから突出するようにして備えられ、溝検知片２９ｂ，３０ｂの最大高さ、すなわち変位方向Ｆ，Ｉへの最大突出量は、案内斜面２９ｃ，３０ｃの変位方向Ｆ，Ｉへの最高点、すなわち案内斜面２９ｃ，３０ｃの挿入方向Ａ下流側端部である先端部の変位方向Ｆ，Ｉへの突出量以下となっている。また溝検知片２９ｂ，３０ｂの案内斜面２９ｃ，３０ｃからの変位方向Ｆ，Ｉに対する最大高さは、後述するＭＤ１０のケーシング１０ｂに設けられる溝１０ｅの深さよりも低くなっている。また、溝検知片２９ｂ，３０ｂの挿入方向Ａ上流側の端面は、変位方向Ｆ，Ｉと平行な端面となっている。
【００２５】
搬送手段２５は、誤挿入防止レバー２９の挿入方向Ａ下流側で、保持部２ａに臨んで備えられる。搬送手段２５は、ローラ２５ｂと、ローラ２５ｂと一体で回転するローラ歯車２５ｃと、ローラ２５ｂ、ローラ歯車２５ｃ、および歯車Ｇ１を軸支する保持部材２５ａとを備えて構成される。搬送手段２５は、歯車Ｇ１の回転軸を中心に揺動方向Ｂまたはその反対方向に揺動自在に備えられており、ローラ２５ｂおよびローラ歯車２５ｃの回転軸２５ｄに係合する巻ばね２７によって、揺動方向Ｂ、すなわちローラ２５ｂが保持部２ａの通路内に突出する方向に付勢されている。
【００２６】
搬送手段２６は、保持部２ａの挿入方向Ａ下流側で、前述のトレイ３ａ〜３ｄの側壁に設けられる透孔１３に臨む部分に備えられる。搬送手段２６は、ローラ２６ｂと、ローラ２６ｂと一体で回転するローラ歯車２６ｃと、ローラ２６ｂ、ローラ歯車２６ｃ、および歯車Ｇ７を軸支する保持部材２６ａとを備えて構成される。保持部材２６ａには、後述するスライドレバー２４の案内斜面２４ｃによって案内されるホロアピン２６ｅと、後述するスイッチＳＷ７の作動片ＡＣ７に当接する当接片２６ｆとが設けられる。
【００２７】
搬送手段２６は、歯車Ｇ７の回転軸を中心に揺動方向Ｅまたはその反対方向に揺動可能となっており、ローラ２６ｂおよびローラ歯車２６ｃの回転軸に係合する巻ばね２８によって揺動方向Ｅ、すなわちローラ２６ｂがたとえばトレイ３ａ〜３ｄの透孔１３を介してトレイ３ａ〜３ｄ内部に突出する方向に付勢されている。
【００２８】
搬送手段２５，２６のローラ２５ｂ，２６ｂを回転駆動するためのモータＭ１は、前述の折曲げ部２１ｂの下端部に取付けられる。折曲げ部２１ｂの下端部は、フレーム２２に設けられる切掛け部２２ｂを介してフレーム２２の下側に突出しており、モータＭ１は、フレーム２２の下側に備えられる。モータＭ１の駆動をローラ２５ｂ，２６ｂに伝達するための歯車Ｇ１〜Ｇ７は、保持部２ａの図２における左側で、フレーム２１と２２との間に、挿入方向Ａに沿って備えられる。モータＭ１のシャフトには、ウォームギアＭ１ａが装着されており、そのウォームギアＭ１ａは歯車Ｇ４に噛合している。
【００２９】
ストッパ２３は、一対の案内長孔２３ｂ，２３ｃと、係止片２３ａと、案内斜面２３ｅと、ばね掛け片２３ｄとを具備して構成される。一対の案内長孔２３ｂ，２３ｃに、たとえば歯車Ｇ４，Ｇ５の回転軸Ｇ４ａ，Ｇ５ａがそれぞれ挿通され、ストッパ２３は、保持部２ａの挿入方向Ａ下流側端部の開口部における、図２における左端から、係止片２３ａが突出または後退するように変位方向Ｊに沿って変位可能になっている。ばね掛け片２３ｄとたとえば歯車Ｇ３の回転軸Ｇ３ａとの間には引張りばね３１が備えられており、これによってストッパ２３は、係止片２３ａが保持部２ａの内方に突出するように付勢されている。案内斜面２３ｅには、後述するスライドレバー２４のピン２４ａが当接される。
【００３０】
スライドレバー２４は、ピン２４ａ、位置決め凸起２４ｂ、案内斜面２４ｃおよび当接片２４ｇなどを備えて構成される。挿入方向Ａに沿って細長い長手形状を有するスライドレバー２４には、挿入方向Ａに沿って一対の案内長孔２４ｅ，２４ｆが設けられ、その案内長孔２４ｅ，２４ｆにフレーム２１に設けられる図示しないピンが挿通され、スライドレバー２４は挿入方向Ａに沿って移動可能となっている。ピン２４ａは、スライドレバー２４の挿入方向Ａ上流側端部から下方に突出するようにして設けられ、そのピン２４ａの挿入方向Ａ下流側に、前述の変位方向Ｊに突出する位置決め凸起２４ｂが設けられる。
【００３１】
案内斜面２４ｃを有する凸起部２４ｈは、ストッパ２３の変位方向Ｊと反対方向に突出して形成され、凸起部２４ｈの挿入方向Ａ上流側端面が案内斜面２４ｃとなっている。当接片２４ｇは、スライドレバー２４の挿入方向Ａ下流側端部に設けられ、後述するスイッチＳＷ８の作動片ＡＣ８に当接可能となっている。
【００３２】
またスライドレバー２４には、スライドレバー２４を挿入方向Ａに沿って移動するためのラック２４ｄが歯車Ｇ８と噛合するように設けられる。
【００３３】
スライドレバー２４を挿入方向Ａに沿って駆動するためのモータＭ２は、フレーム２１の図２の左端における挿入方向Ａ下流側端部に備えられる。モータＭ２の駆動力は、歯車Ｇ８〜Ｇ１０を介してスライドレバー２４に伝達される。スライドレバー２４のラック２４ｄには、歯車Ｇ８の小径歯部が噛合し、歯車Ｇ１０の大径歯部には、モータＭ２のシャフトに装着されたウォームギアＭ２ａが噛合する。
【００３４】
前述のストッパ２３の引張りばね３１による変位方向Ｊへの付勢は、ストッパ２３の案内斜面２３ｅまたは変位方向Ｊ下流側端面２３ｆがスライドレバー２４のピン２４ａに当接することによって阻止される。搬送手段２６の巻ばね２８による揺動方向Ｅへの付勢は、搬送手段２６のピン２６ｅが、スライドレバー２４の案内斜面２４ｃまたは凸起部２４ｈにおける変位方向Ｊ上流側端面２４ｉに当接することによって阻止される。
【００３５】
モータＭ２が駆動され、スライドレバー２４が挿入方向Ａと反対方向に移動されると、ピン２４ａが、ストッパ２３の端面２３ｆ上から案内斜面２３ｅ上にかけて挿入方向Ａと反対方向に摺動する。ピン２４ａが案内斜面２３ｅ上を挿入方向Ａと反対方向に摺動すると、これに伴ってストッパ２３が引張りばね３１の引張力によって変位方向Ｊに変位し、係止片２３ａが保持部２ａの内方に突出し、保持部２ａの通路が遮断される。
【００３６】
またスライドレバー２４が挿入方向Ａと反対方向に移動されると、搬送手段２６のピン２６ｅがスライドレバー２４の案内斜面２４ｃ上から端面２４ｉ上にかけて概ね挿入方向Ａに摺動する。ピン２６ｅが案内斜面２４ｃ上を挿入方向Ａに摺動すると、これに伴って、搬送手段２６が巻ばね２８による付勢力に抗して揺動方向Ｅと反対方向に揺動する。
【００３７】
反対に、スライドレバー２４が挿入方向Ａに移動されると、ピン２４ａが、ストッパ２３の案内斜面２３ｅ上から端面２３ｆ上にかけて概ね挿入方向Ａに摺動する。ピン２４ａが案内斜面２３ｅ上を挿入方向Ａ方向に摺動するのに伴って、ストッパ２３が、引張りばね３１の引張力に抗して変位方向Ｊと反対方向に変位し、保持部２ａの通路が開放される。これと同時に、搬送手段２６のピン２６ｅが、スライドレバー２４の端面２４ｉ上から案内斜面２４ｃ上にかけて概ね挿入方向Ａと反対方向に摺動し、これに伴って、搬送手段２６が巻ばね２８の付勢力によって揺動方向Ｅに揺動する。
【００３８】
また、昇降装置２には、上述のストッパ２３やスライドレバー２４の他に、複数のスイッチＳＷ５，ＳＷ６などが備えられる。スイッチＳＷ５は、誤挿入防止レバー２９の変位方向Ｆ上流側に備えられる。操作者によってＭＤ１０が、筺体６の挿排口６ｆを介して保持部２ａ内に正しい向きで挿入されると、ＭＤ１０の挿入方向Ａ下流側端部の両側面に設けられる溝に誤挿入防止レバー２９，３０の溝検知片２９ｂ，３０ｂが嵌まり込み、ＭＤ１０の挿入方向Ａ下流側端部が誤挿入防止レバー２９，３０の案内斜面２９ｃ，３０ｃに当接し、誤挿入防止レバー２９，３０が変位方向Ｆ，Ｉと反対方向にばね力に抗して変位される。
【００３９】
誤挿入防止レバー２９が変位方向Ｆと反対方向に変位されると、誤挿入防止レバー２９の変位方向Ｆ上流側端面が、スイッチＳＷ５の作動片ＡＣ５に当接し、スイッチＳＷ５が遮断状態から導通状態となり、これによってＭＤ１０の保持部２ａ内への挿入が検知される。ＭＤ１０が誤った向きで挿排口６ｆを介して挿入されると、その状態におけるＭＤ１０の挿入方向Ａ下流側端面が誤挿入防止レバー２９，３０の溝検知片２９ｂ，３０ｂに当接し、ＭＤ１０の挿入が阻止される。
【００４０】
スイッチＳＷ６は、スイッチＳＷ６の作動片ＡＣ６が、保持部２ａの挿入方向Ａ下流側端部における図２の右端から、保持部２ａの内方に突出するようにして備えられる。保持部２ａ内に挿入されたＭＤ１０が搬送手段２５のローラ２５ｂによって挿入方向Ａに搬送され、ＭＤ１０の挿入方向Ａ下流側端部がスイッチＳＷ６の作動片ＡＣ６に当接し、スイッチＳＷ６が遮断状態から導通状態となると、ＭＤ１０の保持部２ａ内への装着の完了が検知される。
【００４１】
ここで、保持部２ａの挿入方向Ａに沿った長さは、ＭＤ１０の挿入方向Ａの長さよりもやや長く設定されており、ＭＤ１０の装着が完了した状態において、ＭＤ１０の挿入方向Ａ上流側端部は保持部２ａ内に完全に嵌まり込んだ状態となっている。
【００４２】
スイッチＳＷ８は、スライドレバー２４の挿入方向Ａ下流側に備えられる。モータＭ２の駆動力によって、スライドレバー２４が挿入方向Ａに移動され、ストッパ２３が変位方向Ｊと反対方向に変位されて係止片２３ａが保持部２ａの挿入方向Ａ下流側端部を遮断しない開放状態となり、搬送手段２６が揺動方向Ｅに揺動してローラ２６ｂがたとえばトレイ３ａ〜３ｄの透孔１３を介してトレイ３ａ〜３ｄ内に突出した状態となると、スライドレバー２４の当接片２４ｇがスイッチＳＷ８の作動片ＡＣ８に当接し、スイッチＳＷ８が遮断状態から導通状態となる。
【００４３】
スイッチＳＷ７は、搬送手段２６の揺動方向Ｅ上流側で、図５に示される保持部材２６ａの当接片２６ｆがスイッチＳＷ７の作動片ＡＣ７に当接可能な位置に備えられる。スライドレバー２４の当接片２４ｇがスイッチＳＷ８の作動片ＡＣ８に当接した状態から、スライドレバー２４が挿入方向Ａと反対方向に移動され、これに伴って搬送手段２６が揺動方向Ｅと反対方向に揺動し、ローラ２６ｂがトレイ３ａ〜３ｄのたとえば透孔１３から昇降装置２内方へ後退した状態となると、保持部材２６ａの当接片２６ｆがスイッチＳＷ７の作動片ＡＣ７に当接し、スイッチＳＷ７が遮断状態から導通状態となる。
【００４４】
スイッチＳＷ１０は、搬送手段２５の揺動方向Ｂ上流側に備えられる。搬送手段２５のローラ２５ｂがＭＤ１０の側面に当接して、搬送手段２５が巻ばね２７の付勢力に抗して揺動方向Ｂと反対方向に揺動されると、保持部材２５ａがスイッチＳＷ１０の作動片ＡＣ１０に当接して、スイッチＳＷ１０が遮断状態から導通状態となり、ＭＤ１０がローラ２５ｂを通過し、搬送手段２５が揺動方向Ｂに揺動すると、導通状態から遮断状態となる。
【００４５】
ＭＤ１０は、光学的かつ磁気的に記録または再生可能なディスク１０ａと、ディスク１０ａを収納するケーシング１０ｂとを備えて構成される。ディスク１０ａの中心には、後述する再生装置５に備えられるターンテーブル６３ａによって吸着固定されるクランププレート１０ｃが設けられる。ケーシング１０ｂのクランププレート１０ｃに対向する部分には、ターンテーブル６３ａが挿通される駆動孔１０ｄが設けられる。
【００４６】
図６は、昇降装置２を昇降変位させる昇降機構５２の構成を示す斜視図である。昇降機構５２は、昇降レバー４１、モータＭ３、歯車Ｇ１１〜Ｇ１３などを備えて構成される。昇降レバー４１は、断面形状が概ねＬ字形の形状を有し、横板部４１ａと縦板部４１ｂとから成り、挿入方向Ａに沿って移動可能に備えられる。昇降装置２およびマガジン３に対向する縦板部４１ｂには、カム溝４１ｄと係合孔４１ｅとが設けられ、横板部４１ａの側面には、昇降レバー４１を挿入方向Ａに沿って移動するためのラック４１ｃが設けられる。
【００４７】
カム溝４１ｄは、挿入方向Ａ下流側にゆくに従って上下方向の高さが低くなるように斜め方向に沿って設けられる。係合孔４１ｅは、再生装置５の側面に対向する部分に、挿入方向Ａに沿って設けられ、上下方向の幅が拡大された拡大部４１ｇと、幅の狭い係合部４１ｆとから成る。係合部４１ｆは、係合孔４１ｅの挿入方向Ａ下流側端部に設けられる。
【００４８】
カム溝４１ｄに対応して、昇降装置２のフレーム２２の図２のにおける右側に突出した突出部２ｂには、カム溝４１ｄに嵌め込まれるピン２ｃが設けられる。係合孔４１ｅに対応して、フローティング支持された再生装置５には、係合孔４１ｅに嵌め込まれるピン６９ａが設けられる。
【００４９】
昇降レバー４１を挿入方向Ａに移動するためのモータＭ３は、筺体６内の底板６ｅ上に備えられる。モータＭ３の駆動力は、歯車Ｇ１１〜Ｇ１３を介して昇降レバー４１のラック４１ｃに伝達される。モータＭ３には、歯車Ｇ１１に噛合するウォームギアＭ３ａが装着される。
【００５０】
モータＭ３が駆動され、たとえば昇降レバー４１が挿入方向Ａに移動されると、カム溝４１ｄが斜め方向に設けられているので、昇降レバー４１が挿入方向Ａに移動されるのに伴って、昇降装置２が上昇変位する。反対に、昇降レバー４１が挿入方向Ａと反対方向に移動されると、ピン２ｃがカム溝４１ｄに案内されて、昇降装置２が下降変位する。
【００５１】
ピン２ｃは、昇降レバー４１のカム溝４１ｄを介して後述するシャーシ８１に設けられる上下方向に延びる案内溝８１ｉに嵌め込まれており、これによって昇降装置２は上下方向にのみに変位するように変位が規制される。
【００５２】
また昇降機構５２には、昇降装置２の上下方向の位置を検知するセンサ４３およびスリット板４４，４５が備えられる。スリット板４４は、マガジン３の側壁にトレイ３ａ〜３ｄの積層方向に沿って設けられ、各トレイ３ａ〜３ｄに対応する位置にスリット４４ａがそれぞれ設けられる。スリット板４５は、再生装置５の枠体６４の側壁に、前述のスリット板４４の下方に位置するように備えられる。スリット板４５には、スリット４５ａが設けられる。スリット板４４，４５に対応して、前述の昇降装置２の突出部２ｂには、センサ４３が備えられる。センサ４３は、スリット板４４，４５を挟んで互いに対向する発光素子と、受光素子とを有するフォトインタラプタである。
【００５３】
ここで、再生装置５は外部からの振動が再生装置５に伝わるのを阻止するためにフローティング支持されているので、マガジン３と再生装置５との間隔、およびスリット板４４とスリット板４５との間の間隔は、フローティング支持された再生装置５の上下方向への変位を妨げない幅に設定する必要がある。そこで、スリット板４４とスリット板４５との間の間隔は、再生装置５が上下方向に変位しても、常にスリット４４ａ，４５ｂの上下方向に対する幅以上になるように設定される。
【００５４】
昇降装置２が上下方向に昇降変位され、センサ４３がスリット板４４，４５に沿って上下方向に変位し、スリット４４ａ，４５ａおよびスリット板４４と４５との間の間隙５３を検知すると、センサ４３から導出されるスリット検知信号がローレベルからハイレベルに切換わる。
【００５５】
図７は、昇降装置２が再生装置５の枠体６４に対向する位置に変位された状態を示す図である。図６に示される昇降装置２がマガジン３のトレイ３ｂに対向する位置に変位されている状態から、たとえば図７に示される状態となるまで昇降装置２を下降変位させる動作を説明する。図６に示される状態から、モータＭ３の反時計まわりへの駆動が開始されると、昇降レバー４１が挿入方向Ａと反対方向に移動され、これに伴って昇降装置２が下降変位する。昇降装置２が下降変位すると、昇降装置２に備えられるセンサ４３は、スリット４４ａ，４５ａおよび間隙５３を検出する毎にスリット検出信号をパルス状にローレベルからハイレベルに切換える。センサ４３から導出されるスリット検出信号をもとに、モータＭ３の駆動が開始されてから４つ目のパルスが検出された時点で、モータＭ３の駆動を停止することによって、昇降装置２を、再生装置５の枠体６４に対向した位置で停止させることができる。
【００５６】
ここでは、昇降装置２を、トレイ３ｂに対向した位置から、再生装置５の枠体６４に対向した位置に下降変位させる場合を説明したが、この場合に限らず、センサ４３によってスリット４４ａ，４５ａを検知しながら、モータＭ３を駆動することによって、マガジン３の各トレイ３ａ〜３ｄおよび再生装置５の枠体６４に対抗する位置に選択的に変位させることができる。
【００５７】
このように昇降変位される昇降装置２は、図１に示されるように、昇降変位可能に支持部材１００によって支持される。支持部材１００は、昇降装置２と筺体６の底板６ｅとが平行な状態に保たれるように昇降装置２を支持するので、ピン２ｃが昇降レバー４１のカム溝４１ｄに嵌め込まれて支持される昇降装置２の図１における右側に比べて左側が自重などによって下方に下がるのが防止される。
【００５８】
図６に示されるように、昇降装置２がトレイ３ａ〜３ｄに対向する位置では、再生装置５に設けられるピン６９ａは、昇降レバー４１の係合孔４１ｅにおける拡大部４１ｇ内に位置しており、再生装置５は、ピン６９ａが係合孔４１ｅ内で上下方向に変位可能なフローティング状態となっている。図７に示される昇降装置２が再生装置５の枠体６４に対向した状態では、挿入方向Ａと反対方向に移動された昇降レバー４１の係合孔４１ｅにおける係合部４１ｆに、ピン６９ａが嵌まり込んだ状態となっており、これによってピン６９ａがロックされ、再生装置５は上下方向への変位が阻止されたロック状態となっている。
【００５９】
また図６に示されるように、筺体６内の底部、たとえば底板６ｅ上には、作動片ＡＣ９が上方を向くようにしてスイッチＳＷ９が備えられる。スイッチＳＷ９は、再生装置５よりも下方に備えられ、昇降装置２が図７に示される状態よりも下方に下降変位されると、昇降装置２がスイッチＳＷ９の作動片ＡＣ９に当接し、スイッチＳＷ９が遮断状態から導通状態となるようになっている。スイッチＳＷ９が、導通状態となると、これに応答して、センサ４３から導出されるスリット検出信号のパルス数をカウントする図示しない制御部におけるパルスのカウント値が初期化される。たとえば、ＭＤ再生装置１において電源が投入されると、昇降装置２が下降変位されて作動片ＡＣ９に当接し、初期化が行われる。
【００６０】
図１を参照して、昇降装置２を昇降変位可能に支持し、挿排口６ｆを開閉する支持部材１００は、一対の第１および第２支持レバー４７および４８を含んで構成され、筺体６内において筺体６の前面板６ｃに対向するようにして保持部２ａの図１における下側に備えられる。
【００６１】
第１支持レバー４７は、図８に示されるように、一方向に細長い平板状の形状を有し、両端部にはピン４７ａ，４７ｂを挿通するための２つの孔４７ｇ，４７ｉが設けられ、２つの孔４７ｇ，４７ｉを結ぶ線分上の中心には、ピン４６を挿通するための孔４７ｈが設けられる。また、第１支持レバー４７は、第１支持レバー４７が後述するように、昇降装置２およびシャーシ８１に取付けられたときに、保持部２ａに対向させるべき部分、すなわち図１における上側の部分が、孔４７ｇ，４７ｈ，４７ｉの並びに沿った基部４７ｃから保持部２ａに近接する方向に突出した突出部４７ｄとなっている。第２支持レバー４８は、第１支持レバー４７と同様な形状であり、説明を省略する。
【００６２】
第１および第２支持レバー４７，４８は、互いの中心部がピン４６によってピン４６を中心に揺動自在に固定され、Ｘ形に交差した状態で、昇降装置２およびシャーシ８１に取付けられる。このとき、第１および第２支持レバー４７，４８は、突出部４７ｄ，４８ｄが図１における上方を向くようにして取付けられる。
【００６３】
シャーシ８１は、筺体６の両側板６ａ，６ｂに対向する両側板と、背面板６ｄに対向する背面板と、底板６ｅに対向する底板とから成り、マガジン３、再生装置５および昇降装置２を保持する。
【００６４】
第１支持レバー４７の一方側端部、すなわち図１における左側端部は、昇降装置２において保持部２ａの図１における左側に形成される取付片２１ｈに設けられる長孔２１ｊに、長孔２１ｊに沿って変位自在にピン４７ａによって取付けられ、他方側端部、すなわち図１における右側端部は、シャーシ８１に形成される取付片８１ｑにピン４７ｂによってピン４７ｂを中心に揺動自在に取付けられる。
【００６５】
第２支持レバー４８の一方側端部は、シャーシ８１に形成される取付片８１ｐに設けられる長孔８１ｒに、長孔８１ｒに沿って変位自在にピン４８ａによって取付けられ、他方側端部は、昇降装置２における保持部２ａの図１における右側に形成される取付片２１ｉに設けられる図５に示す孔２１ｋに、ピン４８ｂによってピン４８ｂを中心に揺動自在に取付けられる。
【００６６】
昇降装置２の取付片２１ｈ，２１ｉは、図５に示されるように、フレーム２１の挿入方向Ａ上流側端部が、筺体６の前面板６ｃに対向するように折曲げられて形成され、同様にシャーシ８１に形成される取付片８１ｐ，８１ｑは、シャーシ８１の底板の挿入方向Ａ上流側端部に筺体６の前面板６ｃに対向するように形成される。長孔２１ｊ，８１ｒは、ＭＤ１０の挿入方向Ａおよび昇降装置２の昇降方向と垂直な方向に沿って互いに平行になるように設けられる。
【００６７】
図１および図３に示されるように、昇降装置２の保持部２ａが挿排口６ｆに対向する位置に位置しているときには、保持部２ａ内の通路は挿排口６ｆと再生装置５の枠体６４内とに連通している。この状態において、第１および第２支持レバー４７，４８は、挿排口６ｆの図１における下側にあり、第１および第２支持レバー４７，４８の挿排口６ｆに臨む側面におけるピン４７ａ，４８ｂ側の側面４７ｅ，４８ｅが、挿排口６ｆ内の図１における下側の内壁と平行になるように、かつ内壁に近接するようにして第１および第２支持レバー４７，４８の突出部４７ｄ，４８ｄは形成される。このように、突出部４７ｄ，４８ｄを形成することによって、昇降装置２が図１および図３に示される状態から図１における上方に上昇変位されたとき、直ちに挿排口６ｆを閉鎖することができる。
【００６８】
また、図１および図３に示される状態において、第１および第２支持レバー４７，４８の一方側端部におけるピン４７ａ，４８ａは、長孔２１ｊ，８１ｒの一方側、すなわち図１における左側に変位された状態にあり、この状態から昇降装置２が上昇変位されると、昇降装置２の上昇変位に伴ってピン４７ａ，４８ａが長孔２１ｊ，８１ｒ内を他方側、すなわち図１における右側に変位する。
【００６９】
図９は、昇降装置２がマガジン３における最上段のトレイ３ａに対向する位置に変位され、支持部材１００によって挿排口６ｆが閉鎖されている状態を示す。図９に示されるように、図１および図３に示される状態から、昇降装置２が図１における上方へ上昇変位されると、昇降装置２の上昇変位に伴って、第１および第２支持レバー４７，４８の一方側端部同士、および他方側端部同士が互いに離反するようにして、第１および第２支持レバー４７，４８が揺動変位し、図１および図３に示される状態から、昇降装置２が僅かに上昇変位されると、挿排口６ｆが第１および第２支持レバー４７，４８によって閉鎖される。
【００７０】
このように、支持部材１００は、昇降装置２を昇降変位可能に支持しながら、挿排口６ｆの開閉を行う。また、第１および第２支持レバー４７，４８において、ピン４６を挿通するための各孔は、ピン４７ａ，４８ａを挿通するための孔と、ピン４７ｂ，４８ｂを挿通するための孔との間の中心にそれぞれ設けられているので、支持部材１００によって昇降装置２は筺体６の底板６ｅと、平行な状態で昇降変位するように支持される。
【００７１】
昇降装置２によってＭＤ１０が再生装置５の枠体６４に装填されると、枠体６４がターンテーブル６３ａに近接する方向に下降変位され、枠体６４によって保持されたＭＤ１０がターンテーブル６３ａに装填される。ＭＤ１０がターンテーブル６３ａに装填されると、ターンテーブル６３ａがＭＤ１０の駆動孔１０ｄ内に嵌まり込んでクランププレート１０ｃを磁気吸着して、ディスク１０ａを回転駆動するとともに、図示しないピックアップがディスク１０ａに記録されている記録内容を読出すことによって、その記録内容の再生が行われる。
【００７２】
したがって、挿排口６ｆが、昇降装置２を昇降変位可能に支持する支持部材１００によって開閉されるので、たとえば挿排口６ｆを開閉するための専用の扉部材を設ける必要がなく、簡単な構成で挿排口６ｆの開閉を行うことができる。
【００７３】
また、支持部材１００における第１および第２支持レバー４７，４８には、保持部２ａが挿排口６ｆに対向した図１に示される状態において、側面４７ｅ，４８ｅが挿排口６ｆ内の図１における下側の内壁に近接するように突出部４７ｄ，４８ｄが設けられるので、昇降装置２が図１に示される状態から上昇変位されたときには、直ちに挿排口６ｆを閉鎖することができる。
【００７４】
なお、本実施例では図１に示されるように、保持部２ａの下側に支持部材１００を備えたが、支持部材１００を保持部２ａの上側に備え、昇降装置２を図１における上側から支持するようにしてもよい。このとき挿排口６ｆは、図１に示される位置よりもさらに上方の位置、たとえば保持部２ａがマガジン３のトレイ３ａに対向するように、昇降装置２が変位されているときに、保持部２ａに対向する位置に設けられ、保持部２ａがトレイ３ａと対向する位置から昇降装置２が図１における下方向に下降変位されると、挿排口６ｆが支持部材１００によって閉鎖される。
【００７５】
また、支持部材１００を保持部２ａの上側と下側とに一対備えるようにしてもよい。このとき挿排口６ｆは、保持部２ａがたとえばトレイ３ｃに対向する位置に昇降装置２が変位されているときに保持部２ａと対向する位置に設けられ、保持部２ａがトレイ３ｃに対向する位置から上昇変位された場合には、保持部２ａの下側の支持部材１００によって挿排口６ｆが閉鎖され、反対に昇降装置２が下降変位された場合には、挿排口６ｆは保持部２ａの上側の支持部材１００によって閉鎖される。
【００７６】
このように、挿排口６ｆを設ける位置に応じて、支持部材１００を保持部２ａの上側に設けるか、下側に設けるか、または保持部２ａの上側と下側との両側に設けるかを選択することができ、これによって、筺体６の前面板６ｃにおける挿排口６ｆの形成位置を、図１の上下方向に対して任意の位置に設けることができる。
【００７７】
また、上述の実施例では、取付片８１ｐ，８１ｑをシャーシ８１に形成したが、筺体６に形成するようにしてもよい。
【００７８】
また、上述の実施例では、マガジン３が再生装置５の上方になるように配置されているが、再生装置５をマガジン３の上方に配置するようにしてもよい。
【００７９】
また、上述の実施例では、ＭＤ１０の再生を行うＭＤ再生装置１を説明したが、ＭＤ再生装置１にＭＤ１０への記録を行うことができる機能を持たせてもよい。
【００８０】
【発明の効果】
以上のように本発明によれば、保持手段を昇降変位させる昇降手段によって挿排口を開閉するので、たとえば挿排口を開閉するための専用の扉部材を設ける必要がなく、簡単な構成で挿排口の開閉を行うことができる。
【図面の簡単な説明】
【図１】本発明の一実施例であるＭＤ再生装置１の内部構造を示す正面図である。
【図２】ＭＤ再生装置１の内部構成を示す平面図である。
【図３】ＭＤ再生装置１の構成を示す断面図である。
【図４】昇降装置２の構成を示す斜視図である。
【図５】昇降装置２の構成を示す分解斜視図である。
【図６】昇降装置２を昇降変位させる昇降機構５２の構成を示す斜視図である。
【図７】昇降装置２が再生装置５に対向する位置に変位された状態を示す斜視図である。
【図８】支持部材１００に含まれる第１支持レバー４７の形状を示す斜視図である。
【図９】昇降装置２がマガジン３における最上段のトレイ３ａに対向する位置に変位され、支持部材１００によって挿排口６ｆが閉鎖されている状態を示す正面図である。
【符号の説明】
１  ＭＤ再生装置
２  昇降装置
２ａ  保持部
３  マガジン
３ａ〜３ｄ  トレイ
４  ローディング機構
５  再生装置
６  筺体
１０  ＭＤ
２３  ストッパ
２４  スライドレバー
２５，２６  搬送手段
２５ｂ，２６ｂ  ローラ
２９，３０  誤挿入防止レバー
４１  昇降レバー
４３  センサ
４４，４５  スリット板
４７，４８  支持レバー
５２  昇降機構
６４  枠体
８１  シャーシ
１００  支持部材
【図１】
0003594674.tif 000002
【図２】
0003594674.tif 000003
【図３】
0003594674.tif 000004
【図４】
0003594674.tif 000005
【図５】
0003594674.tif 000006
【図６】
0003594674.tif 000007
【図７】
0003594674.tif 000008
【図８】
0003594674.tif 000009
【図９】
0003594674.tif 000010